(57)【要約】【課題】記録媒体のデータの良好な再生状態を得ることができる再生装置を提供する。【解決手段】ＤＶＤ−Ａｕｄｉｏ１の装着を認識し、自動再生の信号を読み取る、あるいは、利用者の操作部７３の入力操作による再生させる旨の信号を認識した後、モニタ７４による映像出力が可能な状態か否かを認識する。映像出力が可能な場合には、利用者により映像が視認されるものとして、ＶＣＡＰ方式のデータを読み取って再生する。映像出力が可能でない状態と判断した場合、利用者による映像の視認が困難あるいは視認できない状態と判断し、操作部７３の入力操作を要求せず再生可能なＡＯＰ方式のデータを読み取って再生する。利用者の状況に対応して自動的に切り替わり、利便性を向上できる。【選択図】　図４
2004022023.tif 000002
【特許請求の範囲】
【請求項１】
記録媒体に記録されたデータを再生する再生装置であって、
前記データに含まれる映像データを出力させる再生処理と、前記データに含まれる映像データを出力させない再生処理とが切替可能であり、前記映像データの表示手段への出力可能な状態に応じて前記再生処理を切り替える制御手段を具備した
ことを特徴とする再生装置。
【請求項２】
請求項１に記載の再生装置において、
前記映像データを出力させる再生処理は、ＶＣＡＰ（Ｖｉｄｅｏ　Ｃａｐａｂｌｅ　Ａｕｄｉｏ　Ｐｌａｙｅｒ）方式による再生処理であり、
前記映像データを出力させない再生処理は、ＡＯＰ（Ａｕｄｉｏ　Ｏｎｌｙ　Ｐｌａｙｅｒ）方式による再生処理である
ことを特徴とする再生装置。
【請求項３】
請求項１または２に記載の再生装置において、
移動体に搭載される構成であって、
前記制御手段は、前記移動体の移動状態に応じて前記再生処理を切り替える
ことを特徴とする再生装置。
【請求項４】
記録媒体に記録されたデータを再生する再生方法であって、
前記データに含まれる映像データを出力させる再生処理と、前記データに含まれる映像データを出力させない再生処理とが切替可能であり、前記映像データの表示手段への出力可能な状態に応じて前記再生処理を切り替える
ことを特徴とする再生方法。
【請求項５】
請求項４に記載の再生方法をコンピュータに実行させる
ことを特徴とする再生プログラム。
【請求項６】
請求項５に記載の再生プログラムがコンピュータにて読取可能に記録された
ことを特徴とする再生プログラムを記録した記録媒体。
【発明の詳細な説明】
【０００１】
【発明の属する技術分野】
本発明は、記録媒体に記録されたデータを再生する再生装置、その方法、そのプログラム、および、そのプログラムを記録した記録媒体に関する。
【０００２】
【背景技術】
従来、音楽データと画像データとが記録された記録媒体として、ＤＶＤ（Ｄｉｇｉｔａｌ　Ｖｅｒｓａｔｉｌｅ　Ｄｉｓｃ）−Ａｕｄｉｏが知られている。このＤＶＤ−Ａｕｄｉｏに記録されたデータを再生する再生装置では、ＶＣＡＰ（Ｖｉｄｅｏ　Ｃａｐａｂｌｅ　Ａｕｄｉｏ　Ｐｌａｙｅｒ）としての再生処理と、ＡＯＰ（Ａｕｄｉｏ　Ｏｎｌｙ　Ｐｌａｙｅｒ）としての再生処理との２つの規格が知られている。
【０００３】
ＶＣＡＰは、映像データがモニタなどの表示装置に出力されていることを前提とした再生装置である。このことから、ＶＣＡＰを採用した再生装置では、メニュー画面への表示や画像表示中に各種の入力操作を促す表示など、利用者に入力操作を促す表示を行うことを必須の要件として定義されている。すなわち、ＶＣＡＰでは、ＤＶＤ−Ａｕｄｉｏが再生装置内に装着されても、メニュー画面の表示などがなされた場合にはその入力操作があるまではデータの再生処理が停止されたままの状態、または開始されない状態となる。
【０００４】
一方、ＡＯＰは、映像データの出力がないことを前提とした再生処理である。このことから、ＡＯＰを採用した再生装置は、ＶＣＡＰで必須の要件とされている利用者に入力操作を促す表示を行うことは規定されていない。すなわち、ＤＶＤ−Ａｕｄｉｏが装着されることにより、メニュー画面表示を行うことなく自動的に再生が開始される。よって、データの再生処理が開始されないという不具合は発生しないことになる。しかしながら、ＡＯＰの再生処理では、映像データが出力されないため、ＤＶＤ−Ａｕｄｉｏに記録された全てのデータの再生が行われるわけではない。
【０００５】
【発明が解決しようとする課題】
ところで、例えば、昨今、移動体である車両などに搭載されたＤＶＤ再生装置が普及されてきている。そんな中、車載用ＤＶＤ再生装置でＤＶＤ−Ａｕｄｉｏを再生する場合には、入力操作が規定されていないＡＯＰの再生処理の方が良好であるといえる。しかしながら、上述したようにＡＯＰの再生処理では再生されないデータが存在するため、必ずしも利用者の要求に十分応えたものとは言い切れない。
【０００６】
本発明は、そのような点を一つの課題として捉え、記録媒体に記録されたデータの良好な再生状態が得られる再生装置、その方法、そのプログラム、および、そのプログラムを記録した記録媒体を提供することを目的とする。
【０００７】
【課題を解決するための手段】
本発明は、記録媒体に記録されたデータを再生する再生装置であって、前記データに含まれる映像データを出力させる再生処理と、前記データに含まれる映像データを出力させない再生処理とが切替可能であり、前記映像データの表示手段への出力可能な状態に応じて前記再生処理を切り替える制御手段を具備したことを特徴とする再生装置である。
【０００８】
また、本発明は、記録媒体に記録されたデータを再生する再生方法であって、前記データに含まれる映像データを出力させる再生処理と、前記データに含まれる映像データを出力させない再生処理とが切替可能であり、前記映像データの表示手段への出力可能な状態に応じて前記再生処理を切り替えることを特徴とする再生方法である。
【０００９】
さらに、本発明は、請求項４に記載の再生方法をコンピュータに実行させることを特徴とする再生プログラムである。
【００１０】
そして、本発明は、請求項５に記載の再生プログラムがコンピュータにて読取可能に記録されたことを特徴とする再生プログラムを記録した記録媒体である。
【００１１】
【発明の実施の形態】
以下に、本発明の実施の形態における一実施例を図面を参照して説明する。なお、この一実施例では、記録媒体としてＤＶＤ−Ａｕｄｉｏに記録されたデータを再生処理する再生装置について説明する。また、対象となる記録媒体は、ＤＶＤ−Ａｕｄｉｏに限ることなく、様々な記録メディアも適用可能である。
【００１２】
〔ＤＶＤ−オーディオ・ディスクの構造〕
図１および図２は、本発明の実施の形態における一実施例の再生装置にて再生される記録媒体としてのＤＶＤ−Ａｕｄｉｏの概略構造を簡略的に示した模式図である。
【００１３】
ＤＶＤ−Ａｕｄｉｏ１は、略中央に図示しない略円形のセンタホールを有した円板状に形成されており、その片面が情報記録面とされている。この情報記録面には、その最内周側に始端であることを示すリードインコードが記録された図示しないリードインエリアが設けられ、その最外周側に終端であることを示すリードアウトコードが記録された図示しないリードアウトエリアが設けられている。これらリードインエリアおよびリードアウトエリア間に、図１および図２に示すように、データの記録領域であるボリューム空間２が設けられている。
【００１４】
そして、ボリューム空間２には、ボリュームおよびファイル構造の情報のための空間（ボリューム／ファイル構造領域３：Ｖｏｌｕｍｅ　ａｎｄ　Ｆｉｌｅ　ｓｔｒｕｃｔｕｒｅ）と、ＤＶＤ規格のアプリケーションのための空間であるＤＶＤオーディオゾーン（ＤＶＤ−Ａｕｄｉｏ　ｚｏｎｅ）４およびＤＶＤビデオゾーン（ＤＶＤ−Ｖｉｄｅｏ　ｚｏｎｅ）５と、この規格のアプリケーション以外のための空間である他記録ゾーン（ＤＶＤ　ｏｔｈｅｒｓ　ｚｏｎｅ）６と、が設けられている。
【００１５】
ボリューム／ファイル構造領域３は、例えばＩＳＯ９６６０およびユニバーサルディスクフォーマットブリッジに規定されている管理領域に相当する。このボリューム／ファイル構造領域３には、ＤＶＤオーディオゾーン４に記述されたデータの一部を後述する再生装置のシステムメモリに格納させる内容が記述されている。
【００１６】
他記録ゾーン６は、ＤＶＤビデオゾーン５に記述されたデータとは関係のない他の情報が記録可能となっている。なお、この他記録ゾーン６は、必須の空間ではなく、使用しない場合には設けられていなくてもよい。
【００１７】
ＤＶＤオーディオゾーン４には、図１に示すように、シンプルオーディオマネージャ（以下、ＳＡＭＧと称する。）１１と、オーディオマネージャ（以下、ＡＭＧと称する。）１２と、オーディオスチルビデオセット（以下、ＡＳＶＳと称する。）１３と、１つ以上のオーディオタイトルセット（以下、ＡＴＳ＃ｉと称する（ｉは自然数で、最大値は９９）。）１４と、が設けられている。なお、ＡＳＶＳ１３はオプションのデータで、ＤＶＤオーディオゾーン４に記録されていない場合もある。
【００１８】
ＳＡＭＧ１１は、リニアＰＣＭデータあるいはロストレスパックされたＰＣＭデータの内容、すなわちステレオあるいはモノラルを示すテーブルで、基本的な再生メニューが記述されている。このＳＡＭＧ１１は、複数の図示しないオーディオ再生ポインタテーブルにて構成されている。
【００１９】
ＡＭＧ１２は、制御データであるオーディオマネージャ情報（以下、ＡＭＧＩと称する。）ファイル２１と、オーディオマネージャ・メニュー用ビデオオブジェクトセット（以下、ＡＭＧＭ＿ＶＯＢＳと称する。）ファイル２２と、バックアップ用ＡＭＧＩファイル２３と、にて構成されている。
【００２０】
ＡＭＧＩファイル２１には、ＶＣＡＰで再生可能なデータのリストおよびＡＯＰで再生可能なデータのリストの内容が記述されている。具体的には、ＡＭＧＩファイル２１には、データを検索するためのサーチポインタテーブルが記述されている。このサーチポインタテーブルは、ＶＣＡＰ用のデータを検索するための図示しないオーディオタイトルのサーチポインタテーブル情報（以下、ＡＴＴ＿ＳＲＰＴＩと称する。）と、図示しないオーディオ・オンリータイトルのサーチポインタテーブル情報（以下、ＡＯＴＴ＿ＳＲＰＴＩと称する。）と、の２つを有している。これらサーチポインタテーブルに記述されている位置情報、すなわち検索するデータのＤＶＤ−Ａｕｄｉｏ１における記録位置情報に基づいて、所望のデータを検索して取得する。
【００２１】
ＡＭＧＭ＿ＶＯＢＳファイル２２は、メニュー画面を表示するための１以上のビデオオブジェクト（以下、ＶＯＢ＃ｊと称する（ｊは自然数）。）ファイル２５にて構成されている。ＶＯＢ＃ｊ２５は、音楽データと画像データとが混在したファイルで、メニュー画面のための画像データやメニュー画面を表示している際の音楽データなどが記述されている。バックアップ用ＡＭＧＩファイル２３は、ＡＭＧＩファイル２１と同じ内容のもので、例えば情報記録面に傷などの損傷を受けた場合でもＡＭＧＩファイル２１の内容を再生装置が読みとれるようになっている。
【００２２】
ＡＳＶＳ１３は、各ＡＴＳ＃ｉ１４に記述されたオーディオデータとともに再生されるいわゆるオーディオ・スチル・ビデオである静止画データが記述されている。この静止画データは、ＶＣＡＰにより再生可能で、ＡＯＰでは無視されて再生されない。
【００２３】
各ＡＴＳ＃ｉ１４は、制御データであるオーディオタイトルセット情報（以下、ＡＴＳＩと称する。）ファイル３１と、オーディオ・オンリータイトルのオーディオオブジェクトセット（以下、ＡＯＴＴ＿ＡＯＢＳ）ファイル３２と、バックアップ用ＡＴＳＩファイル３３と、にて構成されている。
【００２４】
ＡＴＳＩファイル３１には、再生するための内容やＡＳＶＳ１３と関連付けるためのＡＳＶＳ１３の番地情報などが記述されている。バックアップ用ＡＴＳＩファイル３３は、ＡＴＳＩファイル３１と同じ内容のもので、例えば情報記録面に傷などの損傷を受けた場合でもＡＴＳＩファイル３１の内容を再生装置が読みとれるようになっている。
【００２５】
ＡＯＴＴ＿ＡＯＢＳファイル３２は、１以上のオーディオオブジェクト（以下、ＡＯＢ＃ｍと称する（ｍは自然数）。）ファイル３５にて構成されている。各ＡＯＢ＃ｍ３５は、１以上のセル＃ｎ３６にて構成されている。そして、１以上のセル＃ｎ３６の集合によってオーディオタイトルセットのプログラムが構成され、１以上のプログラムの集合によってオーディオタイトルセットのプログラムチェーンが構成される。すなわち、図３に示すように、１つのプログラムを音楽再生される１トラックとなる音楽１曲分とすると、セル＃ｎ３６はその曲を再生するための最小単位である。１以上のトラックの集合にてタイトル３７が構成され、１以上のタイトル３７の集合にてＡＴＳ＃ｉ１４が構成され、１以上のＡＴＳ＃ｉ１４の集合にてグループ３８が構成される。
【００２６】
一方、ＤＶＤビデオゾーン５には、図２に示すように、ビデオマネージャ（以下、ＶＭＧと称する。）４１と、１つ以上のビデオタイトルセット（以下、ＶＴＳ＃ｉと称する（ｉは自然数で、最大値は９９）。）４２と、が設けられている。なお、ＶＭＧ４１は、ＤＶＤ−ビデオ（Ｖｉｄｅｏ）プレーヤで再生される際に読み取られる領域で、本実施の形態では、説明を省略する。
【００２７】
各ＶＴＳ＃ｉ４２には、制御データであるビデオタイトルセット情報（以下、ＶＴＳＩと称する。）ファイル５１と、ビデオタイトルセットタイルのビデオオブジェクトセット（以下、ＶＴＳＴＴ＿ＶＯＢＳと称する。）ファイル５２と、バックアップ用ＶＴＳＩファイル５３と、が設けられている。
【００２８】
ＶＴＳＩファイル５１は、ＶＴＳＴＴ＿ＶＯＢＳファイル５２に記述されたデータを再生するための内容などが記述されている。また、バックアップ用ＶＴＳＩファイル５３は、例えば情報記録面に傷などの損傷を受けた場合でもＶＴＳＩファイル５１の内容を再生装置が読みとれるようになっている。
【００２９】
ＶＴＳＴＴ＿ＶＯＢＳファイル５２は、１以上のビデオオブジェクト（以下、ＶＯＢ＃ｌと称する（ｌは自然数）。）ファイル５５にて構成されている。各ＶＯＢ＃ｌ５５は、１以上のビデオタイトルセット・セル＃ｍ（ｍは自然数）５６にて構成されている。さらに、各セル＃ｍ５６は、１以上のビデオオブジェクトユニット（以下、ＶＯＢＵ＃ｎと称する（ｎは自然数）。）ファイル５７にて構成されている。そして、これらＶＯＢＳＵ＃ｎ５７には、１以上の制御情報であるナビゲーション−パック（以下、ＮＶ＿ＰＣＫと称する。）ファイル６１と、１以上の画像データであるビデオ−パック（以下、Ｖ＿ＰＣＫと称する。）ファイル６２と、１以上の音楽データであるオーディオ−パック（以下、Ａ＿ＰＣＫと称する。）ファイル６３と、字幕データであるサブピクチャ−パック（以下、ＳＰ＿ＰＣＫと称する。）ファイル６４と、が混在して構成されている。
【００３０】
〔再生装置の構成〕
次に、上述した構造をもつＤＶＤ−Ａｕｄｉｏ１を再生する再生装置の構成を図４に示すブロック図を用いて説明する。
【００３１】
図４において、７１は再生装置で、この再生装置７１は、ＤＶＤ−Ａｕｄｉｏ１が装着可能で、装着されるＤＶＤ−Ａｕｄｉｏ１に記録されているデータを読み取って再生させる処理をする。
【００３２】
そして、再生装置７１は、例えば光ピックアップ９５を備えている。この光ピックアップ９５は、ＤＶＤ−Ａｕｄｉｏ１の情報記録面に記録されたデータを読み取る。
【００３３】
また、再生装置７１は、回転駆動手段９６を備えている。この回転駆動手段９６は、再生装置の所定位置に装着されたＤＶＤ−Ａｕｄｉｏ１を線速度または角速度一定に回転駆動させる。そして、この回転駆動手段９６は、ターンテーブル９６ａと、図示しないクランパと、スピンドルモータ９６ｂとを備えている。ターンテーブル９６ａは、ＤＶＤ−Ａｕｄｉｏ１のセンターホールに係合し、ＤＶＤ−Ａｕｄｉｏ１を再生装置７１の所定の位置に載置させて回転可能とする。クランパは、ターンテーブル９６ａと協働してＤＶＤ−Ａｕｄｉｏ１を挟持する。スピンドルモータ９６ｂは、ＤＶＤ−Ａｕｄｉｏ１を線速度または角速度一定に回転駆動させる。このスピンドルモータ９６ｂには、出力軸９６ｃが設けられている。この出力軸９６ｃの先端部はターンテーブル９６ａに連結しており、スピンドルモータ９６ｂの駆動力が出力軸９６ｃを介してターンテーブル９６ａに伝達され、ＤＶＤ−Ａｕｄｉｏ１を線速度または角速度一定に回転させる。
【００３４】
さらに、再生装置７１は、送りモータ９７を備えている。この送りモータ９７は、光ピックアップ９５を情報記録面に平行で、かつその径方向に沿って移動させる。
【００３５】
そして、再生装置７１は、ＤＶＤ−Ａｕｄｉｏ１が所定位置に装着されたことを検出する図示しない検出手段が設けられている。
【００３６】
また、再生装置７１は、サーボ制御部８２を備えている。このサーボ制御部８２は、スピンドルモータ９６ｂの駆動を制御してＤＶＤ−Ａｕｄｉｏ１を線速度または角速度一定に回転させる。また、サーボ制御部８２は、送りモータ９７の駆動を制御し、光ピックアップ９５をＤＶＤ−Ａｕｄｉｏ１の情報記録面に平行でかつ径方向に適宜移動させる。さらに、サーボ制御部８２は、光ピックアップ９５に設けられた図示しないフォーカスアクチュエータおよびトラッキングアクチュエータを制御し、反射される読取光の情報記録面からの焦点距離および情報記録面上の焦点位置を調整する。
【００３７】
さらに、再生装置７１は、ＲＦアンプ８３と、デジタル信号処理部８４と、ＲＡＭ（Ｒａｎｄｏｍ　Ａｃｃｅｓｓ　Ｍｅｍｏｒｙ）８５と、ストリーム分離部８６と、オーディオデコーダ８７と、Ｄ／Ａ変換器８８と、ビデオデコーダ８９と、サブピクチャデコーダ９０と、ビデオプロセッサ９１と、ビデオエンコーダ９２と、ＯＳＤ（Ｏｎ　Ｓｃｒｅｅｎ　Ｄｉｓｐｌａｙ）画像用ＲＯＭ（Ｒｅａｄ　Ｏｎｌｙ　Ｍｅｍｏｒｙ）９３と、再生装置７１全体の制御を司る制御手段としてのシステムコントローラ９４と、を備えている。
【００３８】
ＲＦアンプ８３は、光ピックアップ９５から出力される電気信号を増幅し所定のイコライザ処理を施してＲＦ信号を生成する。そして、ＲＦアンプ８３は、生成したＲＦ信号をデジタル信号処理部８４に出力する。また、ＲＦアンプ８３は、光ピックアップ９５から出力される電気信号に基づきフォーカスエラー信号およびトラッキングエラー信号を生成し、サーボ制御部８２に出力する。
【００３９】
デジタル信号処理部８４は、ＲＦアンプ８３から出力されるＲＦ信号をデジタル信号に変換し、このデジタル信号をＤＶＤ−Ａｕｄｉｏ１のデータフォーマットに応じて、適宜信号復調処理および誤り訂正処理を実施する。この処理されたデジタル信号は、このデジタル信号処理部８４に接続するＲＡＭ８５に格納される。さらに、デジタル信号処理部８４は、システムコントローラ９４の制御に基づいて、ＲＡＭ８５に格納したデータをストリーム分離部８６やシステムコントローラ９４に出力させる。
【００４０】
ストリーム分離部８６は、デジタル信号処理部８５から出力される画像データおよび音楽データが混在するＶＯＢ＃ｌ５５を構成するパックヘッドを解析し、Ａ＿ＰＣＫファイル６３、Ｖ＿ＰＣＫファイル６２、ＳＰ＿ＰＣＫファイル６４、および、ＮＶ＿ＰＣＫファイル６１を分離する。そして、ストリーム分離部８６は、分離したＡ＿ＰＣＫファイル６３をオーディオデコーダ８７に出力し、Ｖ＿ＰＣＫファイル６２をビデオデコーダ８９に出力し、ＳＰ＿ＰＣＫファイル６４をサブピクチャデコーダ９０に出力し、ＮＶ＿ＰＣＫファイル６１をシステムコントローラ９４に出力する。
【００４１】
オーディオデコーダ８７は、ストリーム分離部８６から取得したＡ＿ＰＣＫファイル６３のデータを所定のデコード処理し、Ｄ／Ａ変換器８８に出力する。そして、Ｄ／Ａ変換器８８は、デコード処理されたＡ＿ＰＣＫファイル６３のデータをアナログに変換して、例えばスピーカなどから出力させる。
【００４２】
ビデオデコーダ８９およびサブピクチャデコーダ９０は、ストリーム分離部８６から取得したＶ＿ＰＣＫファイル６２およびＳＰ＿ＰＣＫファイル６４を、それぞれビデオデータおよびサブピクチャデータにデコード処理し、ビデオプロセッサ９１にそれぞれ出力する。
【００４３】
ビデオプロセッサ９１は、システムコントローラ９４の指示に応じて、ビデオデコーダ８９から出力されるビデオデータと、サブピクチャデコーダ９０から出力されるサブピクチャデータと、システムコントローラ９４から出力される後述するＯＳＤの画像データと、を合成し、画像データを生成する。そして、この生成した画像データをビデオエンコーダ９２に出力する。
【００４４】
ビデオエンコーダ９２は、ビデオプロセッサ９１から出力される画像データを、表示用の映像データに変換する。この変換した映像データをモニタ７４に出力する。そして、モニタ７４は、画面表示可能状態であれば、映像データを取得して画面表示させる。
【００４５】
ＯＳＤ画像用ＲＯＭ９３は、利用者に対して入力操作を要求する場合や、利用者に対して再生装置７１の状態を通知する場合などに使用するＯＳＤの画像データが格納されている。この画像データは、例えば「ＡＴＴＥＮＴＩＯＮ」や「走行中は音声をお楽しみ下さい」などの静止画像映像である文字情報などである。
【００４６】
システムコントローラ９４は、ＲＡＭ（Ｒａｎｄｏｍ　Ａｃｃｅｓｓ　Ｍｅｍｏｒｙ）などの図示しない内蔵メモリを備えている。この内蔵メモリには、再生装置７１全体の動作制御をするＯＳ（Ｏｐｅｒａｔｉｎｇ　Ｓｙｓｔｅｍ）上に展開される各種プログラムが記録されている。そして、システムコントローラ９４には、内蔵メモリに記録された各種プログラムにより、映像出力可能状態検出手段７６などが構成される。
【００４７】
この映像出力可能状態検出手段７６は、映像出力が可能な状態か否かの映像出力可能状態を検出する。例えば、モニタ７４が画面表示可能な状態である旨の信号を受信したり、再生装置７１がナビゲーション装置として車両に搭載される場合に車両からの駐車状態の信号を受信するなどにより、映像出力が可能な状態か否かを判断する。
【００４８】
そして、システムコントローラ９４は、各種プログラムにより、各種のサーボ指令をサーボ制御部８２に出力したり、利用者の入力操作に応じた画像生成指令をビデオプロセッサ９１に出力したり、デジタル信号処理部８４やストリーム分離部８６から出力される信号を解析し、適宜デジタル信号処理部８４およびストリーム分離部８６の処理を制御するなど、各種制御をする。
【００４９】
また、再生装置７１には、操作部７３と、表示手段としてのモニタ７４と、図示しないスピーカとが接続されている。
【００５０】
操作部７３は、タイトル表示を指示する再生キーや、ストリーム選択をするための上下左右キー、数字キーなど、再生装置７１を動作させるための図示しない操作ボタンや操作スイッチなどを備えている。そして、操作部７３は、利用者による操作ボタンや操作スイッチの入力操作により、所定の信号を再生装置７１のシステムコントローラ９４に出力することにより、利用者の要求する動作内容を設定入力する。
【００５１】
モニタ７４は、再生装置７１のシステムコントローラ９４の制御により、送信される映像データを画面表示する。
【００５２】
〔再生装置のデータ処理動作〕
次に、上記ＤＶＤ−Ａｕｄｉｏの再生処理について図５に示すフローチャートに基づいて説明する。
【００５３】
まず、ＤＶＤ−Ａｕｄｉｏ１が所定の再生位置に装着されると（ステップＳ１）、システムコントローラ９４はサーボ制御部８２を制御し、送りモータ９７を適宜駆動させ、光ピックアップ９５の読取光をＤＶＤ−Ａｕｄｉｏ１の最内周に位置付ける。さらに、ＤＶＤ−Ａｕｄｉｏ１を線速度一定に回転駆動すべくスピンドルモータ９６ｂを立ち上げる。
【００５４】
そして、システムコントローラ９４は、ＤＶＤ−Ａｕｄｉｏ１に記録された自動再生させる旨の情報の取得、あるいは利用者の操作部７３による入力操作により、ＤＶＤ−Ａｕｄｉｏ１に記録されているデータの再生要求の有無を判断する（ステップＳ２）。この再生要求をシステムコントローラ９４が認識することにより、システムコントローラは映像出力可能か否かを判断する（ステップＳ３）。
【００５５】
このステップＳ３において、システムコントローラ９４による映像出力可能状態の判断は、例えば電源がオンされてモニタに電力が供給され画面表示可能な状態となっているか否か、モニタが車両のダッシュボード内に格納可能なポップアップ式の構成においてモニタがダッシュボードから飛び出して画面表示可能な状態となっているか否か、車両の変速機がパーキングレンジとなっていることの信号を認識して駐車状態で映像出力許可状態となっているか否か、車両の走行を検出するパルス信号に基づいて車両が走行していない映像出力許可状態となっているか否か、などに基づいて判断する。
【００５６】
そして、このステップＳ３で、映像出力可能であると判断した場合には、システムコントローラ９４は、ＤＶＤ−オーディオゾーン４のＡＭＧ１２のＡＭＧＩファイル２１に記録されたサーチポインタテーブルのＡＴＴ＿ＳＲＰＴＩを読み取る。この読み取ったＡＴＴ＿ＳＲＰＴＩに基づいて、ＶＣＡＰに関するデータを読み取る（ステップＳ４）。
【００５７】
このステップＳ４で読み取ったデータを適宜信号処理等を施し、適宜モニタ７４にて映像データを画面表示させるとともに、スピーカなどから出力させる（ステップＳ５）。このＶＣＡＰに関するデータの再生処理においては、適宜ＤＶＤ−オーディオゾーン４のＡＭＧＭ＿ＶＯＢＳファイル２２のデータが読み取られ、適宜メニュー画面などが表示されて、利用者に再生するタイトルの選択設定などの入力操作を要求する状態となる。
【００５８】
一方、ステップＳ３において、映像出力が可能な状態ではないと判断した場合には、システムコントローラ９４は、ＤＶＤ−オーディオゾーン４のＡＭＧ１２のＡＭＧＩファイル２１に記録されたサーチポインタテーブルのＡＯＴＴ＿ＳＲＰＴＩを読み取る。この読み取ったＡＯＴＴ＿ＳＲＰＴＩに基づいて、ＡＯＰに関するデータを読み取る（ステップＳ６）。
【００５９】
このステップＳ６で読み取ったデータを、ステップＳ５で適宜信号処理等を施し、スピーカなどから出力させる。このＡＯＰに関するデータの再生処理においては、限られたデータのみが順次再生され、再生要求などの操作部７３の入力操作はない。すなわち、入力操作を要求するメニューに関する情報および映像出力できない画像データは無視し、再生可能な音楽データのみ再生される。
【００６０】
そして、ステップＳ５における再生処理の際、システムコントローラ９４は適宜映像出力可能状態を認識し、現在の映像出力可能状態が変更になったか否かを判断する（ステップＳ７）。このステップＳ７で、映像出力可能状態に変更がなければ、そのままステップＳ５における再生処理を継続する。
【００６１】
また、ステップＳ７で、映像出力可能状態が変更された場合には、一旦データの再生処理を停止する（ステップＳ８）。そして、ステップＳ３に戻って映像可能状態を認識し、以降は映像出力可能状態に対応したデータの処理形態、すなわち映像出力可能状態に応じてＶＣＡＰあるいはＡＯＰに対応したデータの再生処理をする。なお、ステップＳ８に移行せず、ステップＳ７からステップＳ３へ直接戻るようにしてもよい。
【００６２】
上述したように、映像出力可能状態検出手段７６にて検出した映像出力可能状態に基づいて、映像出力が可能な状態か否かに対応して再生可能なＤＶＤ−Ａｕｄｉｏ１に記録されたデータ、すなわち再生要求指令に基づいて再生されるＶＣＡＰ方式に対応したデータ、および、再生要求指令の有無に係わらず再生されるＡＯＰに対応したデータを適宜読み取る。そして、読み取ったデータを再生するために処理して、適宜映像出力あるいはオーディオ信号として出力して再生させる。
【００６３】
このため、ＤＶＤ−Ａｕｄｉｏ１に記録され映像出力可能状態に応じて、方式の異なるデータのみがそれぞれ適宜読み取られて再生されるので、利用者が映像出力を視認できないあるいは視認が困難な状況となるなどのＡＯＰ方式での再生時には、再生できずに動作が中断したり、データを再生する毎に再生させる旨の入力操作が必要となるなどの不都合を解消できる。さらには、利用者が映像出力を視認できる状況となるＶＣＡＰ方式での再生時には記録されたデータが制限無く再生され、データの安定した再生が容易に得られる。したがって、映像出力が可能な状態か否かに基づいてＶＣＡＰ方式およびＡＯＰ方式が自動的に適宜切り替わり、利用者の状況に対応して適切なデータの再生がなされ、利便性を向上できる。
【００６４】
そして、映像出力が可能で利用者が視認する状態となる場合では再生要求指令に基づいて再生されデータの再生で制限がないＶＣＡＰ方式のデータを再生するために処理するので、記録された全てのデータを再生処理できる。さらに、映像出力が可能ではなく利用者が視認しない状態となる場合には、再生で制限はあるものの再生要求指令が無くても再生されるＡＯＰ方式のデータを再生するために処理するので、再生要求指令の設定が不要で自動的にデータが再生される状態となり、取扱性を向上できる。
【００６５】
また、映像出力が可能な状態か否かに基づくＶＣＡＰ方式およびＡＯＰ方式の自動的な切替は、車両などの移動体の移動状態に対応させるので、特にナビゲーション装置のように、車両の移動時における映像出力を禁止する状態や車両が停車しており映像出力が許可されている状態など、利用者の状況により適切に対応したデータの再生が得られる。
【００６６】
そして、モニタ７４で図示しないナビゲーション装置における案内誘導装置で移動の案内に関する情報を表示させるとともに、再生装置７１でＤＶＤ−Ａｕｄｉｏ１に記録されたデータを映像出力させることにより、１つのモニタ７４を移動の案内と再生される映像出力や音の鑑賞とに共用でき、ナビゲーション装置の構成を簡略化できる。
【００６７】
〔実施形態の変形〕
なお、本発明は、上述した一実施の形態に限定されるものではなく、本発明の目的を達成できる範囲で以下に示される変形をも含むものである。
【００６８】
上述した実施の形態では、上述したように、記録媒体としてはＤＶＤ−Ａｕｄｉｏに限ることなく、様々な記録メディアも適用可能である。
【００６９】
そして、ＶＣＡＰ方式で再生可能なデータおよびＡＯＰ方式のみで再生可能なデータを適宜読み分けて再生したが、記録媒体に記録されるデータは、いずれの方式の画像データ、いずれの方式の音楽データなどでもできる。
【００７０】
また、映像出力が可能な状態か否かの判断は、上述したように、例えば電源がオンされてモニタに電力が供給され画面表示可能な状態となっているか否か、モニタが車両のダッシュボード内に格納可能なポップアップ式の構成においてモニタがダッシュボードから飛び出して画面表示可能な状態となっているか否か、車両の変速機がパーキングレンジとなっていることの信号を認識して駐車状態で映像出力許可状態となっているか否か、車両の走行を検出するパルス信号に基づいて車両が走行していない映像出力許可状態となっているか否かなど、他のいずれかの状態でもできる。
【００７１】
そして、本発明は、音響装置やナビゲーション装置として用いる構成に係わらず、データを映像出力可能状態に基づいて読み分けして再生処理できるいずれの構成でもできる。
【００７２】
また、コンピュータに読み取り可能なプログラムとし、コンピュータに装着された記録媒体に記録されたデータを映像出力可能状態に応じて再生させるようにコンピュータを動作させるなど、いずれの装置形態でも適用できる。なお、ナビゲーション装置として構成する場合では、車両に搭載する構成に限らず、携帯用の構成でも適用できる。
【００７３】
本発明は、上述した一実施の形態および実施形態の変形のみに限ることなく、その他、本発明の目的を逸脱しない範囲で様々な応用が可能である。
【００７４】
【発明の効果】
本発明によれば、映像出力可能状態に基づいて、映像出力可能状態に対応して再生可能なデータを読み取って再生するために処理するため、記録媒体に記録され映像出力可能状態に応じて再生可能なデータのみが適宜読み取られて再生されるので、映像出力可能状態に対応して自動的に全データが再生されたり、再生できずに動作が中断したり、データ再生毎に入力操作が必要となるなどの不都合を解消でき、安定したデータの再生ができる。
【図面の簡単な説明】
【図１】本発明の一実施の形態に係るＤＶＤ−Ａｕｄｉｏの概略構成を示す模式図である。
【図２】前記一実施の形態におけるＤＶＤ−Ａｕｄｉｏの概略構成を示す模式図である。
【図３】前記一実施の形態におけるデータ構成を示す模式図である。
【図４】前記一実施の形態における再生装置の概略構成を示すブロック図である。
【図５】前記一実施の形態における再生装置の動作を示すフローチャートである。
【符号の説明】
１　　記憶媒体としてのＤＶＤ−Ａｕｄｉｏ
７１　　再生装置
７４　　表示手段としてのモニタ
９４　　制御手段としてのシステムコントローラ
【図１】
2004022023.tif 000003
【図２】
2004022023.tif 000004
【図３】
2004022023.tif 000005
【図４】
2004022023.tif 000006
【図５】
2004022023.tif 000007
【手続補正書】
【提出日】平成14年7月3日(2002.7.3)
【手続補正１】
【補正対象書類名】明細書
【補正対象項目名】特許請求の範囲
【補正方法】変更
【補正の内容】
【特許請求の範囲】
【請求項１】
記録媒体に記録されたデータを再生する再生装置であって、
前記データに含まれる映像データを出力させる再生処理と、前記データに含まれる映像データを出力させない再生処理とが切替可能であり、前記映像データの表示手段への出力可能な状態に応じて前記再生処理を切り替える制御手段を具備した
ことを特徴とする再生装置。
【請求項２】請求項１に記載の再生装置において、
前記データには、映像データの他に音楽データが含まれており、
前記映像データを出力させる再生処理は、前記映像データと前記音楽データとの両方を出力させる再生処理であり、
前記映像データを出力させない再生処理は、前記音楽データのみを出力させる再生処理である
ことを特徴とする再生装置。
【請求項３】請求項１または２に記載の再生装置において、
前記映像データを出力させる再生処理は、ＶＣＡＰ（Ｖｉｄｅｏ　Ｃａｐａｂｌｅ　Ａｕｄｉｏ　Ｐｌａｙｅｒ）方式による再生処理であり、
前記映像データを出力させない再生処理は、ＡＯＰ（Ａｕｄｉｏ　Ｏｎｌｙ　Ｐｌａｙｅｒ）方式による再生処理である
ことを特徴とする再生装置。
【請求項４】請求項１ないし３のいずれかに記載の再生装置において、
移動体に搭載される構成であって、
前記制御手段は、前記移動体の移動状態に応じて前記再生処理を切り替える
ことを特徴とする再生装置。
【請求項５】記録媒体に記録されたデータを再生する再生方法であって、
前記データに含まれる映像データを出力させる再生処理と、前記データに含まれる映像データを出力させない再生処理とが切替可能であり、前記映像データの表示手段への出力可能な状態に応じて前記再生処理を切り替える
ことを特徴とする再生方法。
【請求項６】請求項５に記載の再生方法をコンピュータに実行させる
ことを特徴とする再生プログラム。
【請求項７】請求項６に記載の再生プログラムがコンピュータにて読取可能に記録された
ことを特徴とする再生プログラムを記録した記録媒体。
【手続補正２】
【補正対象書類名】明細書
【補正対象項目名】０００３
【補正方法】変更
【補正の内容】
【０００３】
ＶＣＡＰは、映像データがモニタなどの表示装置に出力されていることを前提とした再生処理である。このことから、ＶＣＡＰを採用した再生装置では、メニュー画面への表示や画像表示中に各種の入力操作を促す表示など、利用者に入力操作を促す表示を行うことを必須の要件として定義されている。すなわち、ＶＣＡＰでは、ＤＶＤ−Ａｕｄｉｏが再生装置内に装着されても、メニュー画面の表示などがなされた場合にはその入力操作があるまではデータの再生処理が停止されたままの状態、または開始されない状態となる。


【手続補正３】
【補正対象書類名】明細書
【補正対象項目名】０００９
【補正方法】変更
【補正の内容】
【０００９】
さらに、本発明は、請求項５に記載の再生方法をコンピュータに実行させることを特徴とする再生プログラムである。


【手続補正４】
【補正対象書類名】明細書
【補正対象項目名】００１０
【補正方法】変更
【補正の内容】
【００１０】
そして、本発明は、請求項６に記載の再生プログラムがコンピュータにて読取可能に記録されたことを特徴とする再生プログラムを記録した記録媒体である。


【手続補正５】
【補正対象書類名】明細書
【補正対象項目名】００７０
【補正方法】変更
【補正の内容】
【００７０】
また、映像出力が可能な状態か否かの判断は、上述したように、例えば電源がオンされてモニタに電力が供給され画面表示可能な状態となっているか否か、モニタが車両のダッシュボード内に格納可能なポップアップ式の構成においてモニタがダッシュボードから飛び出して画面表示可能な状態となっているか否か、車両の変速機がパーキングレンジとなっていることの信号を認識して駐車状態で映像出力許可状態となっているか否か、車両の走行を検出するパルス信号に基づいて車両が走行していない映像出力許可状態となっているか否か、ナビゲーションシステムにおける地図情報などの他のソースの映像が表示されているか否かなど、他のいずれかの状態でもできる。